(57)【要約】【課題】  経費や時間を削減できると共に、汚染物質の除去作業中にも継続的に汚染物質の計測を行え、突発的な事故に対処できるようにしたアスベスト濃度モニタリングシステムを提供する。【解決手段】  建築物１の内部や工事区域境界のサンプリングポイント１０ａ〜１０ｆにおいて、ディジタル粉じん計１１ａ〜１１ｆにより浮遊粉じんを計測し、データロガー１５により、これらディジタル粉じん計１１ａ〜１１ｆの計測値を継続的に監視し、保存する。データロガー１５は、これらディジタル粉じん計１１ａ〜１１ｆ及びディジタル微差圧計１３の計測値を継続的に監視し、保存している。ここで、事故が発生すると、データロガー１５により警報装置７が駆動され、警報（例えばブザー）が報知される。これにより、アスベストの除去作業における事故の発生に対して、迅速に対処できる。【選択図】        図１
0003143132.tif 000002
【実用新案登録請求の範囲】
【請求項１】
建築物・工作物等のアスベスト除去作業を行う際のアスベスト濃度モニタリングシステムにおいて、
アスベスト除去作業及び解体現場の内部及びその周辺のサンプリングポイントに配置され、空気中の浮遊粉じんを計測する粉じん計と、
前記粉じん計と接続され、前記粉じん計の計測値を継続的に保存し監視するデータロガーとを備え、
前記データロガーにより前記粉じん計の計測値から作業現場内から飛散するアスベスト濃度を推定して、これらの飛散量を継続的に監視する
ことを特徴とするアスベスト濃度モニタリングシステム。
【請求項２】
前記データロガーは、前記粉じん計の計測値から異常を検出すると、警報を報知することを特徴とする請求項１に記載のアスベスト濃度モニタリングシステム。
【請求項３】
前記粉じん計は、光散乱方式の粉じん計であることを特徴とする請求項１又は２に記載のアスベスト濃度モニタリングシステム。
【請求項４】
前記粉じん計と前記データロガーとをケーブルで接続したことを特徴とする請求項１乃至３の何れかに記載のアスベスト濃度モニタリングシステム。
【請求項５】
前記粉じん計と前記データロガーとの間の前記ケーブルには、電流で信号を伝送することを特徴とする請求項４に記載のアスベスト濃度モニタリングシステム。
【請求項６】
前記粉じん計と前記データロガーとを無線で接続したことを特徴とする請求項１乃至３の何れかに記載のアスベスト濃度モニタリングシステム。
【請求項７】
前記粉じん計の計測値からアスベスト濃度への推定は、決められた測定方法によるアスベスト濃度の測定と、浮遊粉じん濃度の測定とを並行して行い、両者の測定結果を比較してアスベスト濃度と浮遊粉じん濃度との相関関係を求め、求められた相関関係により前記粉じん計の測定値からアスベスト濃度を推定することを特徴とする請求項１乃至６の何れかに記載のアスベスト濃度モニタリングシステム。
【請求項８】
前記建築物内にはさらに微差圧計が配置され、前記微差圧計を前記データロガーに接続することを特徴とする請求項１乃至７の何れかに記載のアスベスト濃度モニタリングシステム。
【考案の詳細な説明】
【技術分野】
【０００１】
本考案は、アスベスト除去作業を行う際のアスベスト濃度モニタリングシステムに関する。
【背景技術】
【０００２】
アスベストは、天然の鉱物繊維で、耐熱性、耐薬品性、絶縁性などの諸特性に優れていることから、長年にわたり使用されて続けてきた。しかしながら、飛散性アスベストは、非常に微細な繊維であり、アスベストの粉じんを人が吸い込むと、石綿肺、肺癌、悪性中皮腫などの重大な疾病が引き起こす危険性がある。このため、建築資材のアスベストの全面禁止を打ち出されており、また、これまでアスベストが使用されていた建物では、アスベストの除去作業が進められている。
【０００３】
アスベストの除去作業を行う際に、汚染物質が拡散しないようにする必要がある。このため、一般に、汚染物質を除去する範囲をビニールシート等の隔離・養生シートで囲い、囲われた内部を負圧に保ちながら工事を行うようにしている。シート内部を負圧に保つために、負圧集じん装置を使用し、連続的に運転することにより、除去作業中、汚染物質の外部への拡散を防ぐことができる。
【０００４】
汚染物質の除去作業中には、汚染物質が外部に拡散していないことを確認するために、工事区域境界での空気中の汚染物質の測定を行うことが定められている。空気環境のアスベスト濃度測定手順は、例えば特許文献１に示されるように、位相差顕微鏡によるアスベスト繊維の数の計数を行っている。
【０００５】
図３は、従来のアスベスト除去現場での浮遊粉じん濃度やアスベスト濃度の計測の概要を示すものである。図３において、１０１はアスベスト除去作業を行う建築物である。建築物１０１は、アスベストが外部に飛散しないように、隔離シート１０２で覆われ、密閉養生される。建築物１０１には、建物内部を負圧を保ちながら集塵を行う負圧集じん装置１０３が配置される。このように、隔離シート１０２により密閉養生し、負圧集じん装置１０３により建物内部を負圧にした状態で、建築物１０１のアスベスト除去作業が行われる。
【０００６】
アスベスト除去作業中において、汚染物質の外部への拡散を防ぐために、建築物１０１の内部やその周辺の工事区域境界には、浮遊粉じん濃度やアスベスト濃度を計測するためのサンプリングポイント１１０ａ〜１１０ｆが置かれ、各サンプリングポイント１１０ａ〜１１０ｆにおいて、空気中の浮遊粉じん濃度やアスベスト濃度が計測される。
【０００７】
すなわち、建築物１０１の内部のサンプリングポイント１１０ａにフィルタ１２２ａ及びエアーサンプラー１２３ａが配置される。また、負圧集じん装置１０３の排出吹出口のサンプリングポイント１１０ｂにフィルタ１２２ｂ及びエアーサンプラー１２３ｂが配置される。また、建築物１０１の外部の周囲にサンプリングポイント１１０ｃ〜１１０ｆに、フィルタ１２２ｃ〜１２２ｆ及びエアーサンプラー１２３ｃ〜１２３ｆがそれぞれ配置される。
【０００８】
各サンプリングポイント１１０ａ〜１１０ｆにおいて、フィルタ１２２ａ〜１２２ｆを介して、エアーサンプラー１２３ａ〜１２３ｆにより、空気中の浮遊物がサンプリングされる。エアーサンプラー１２３ａ〜１２３ｆによりサンプリングされた浮遊物中のアスベスト繊維の数は、研究所の位相差顕微鏡１２５により計数される。このアスベスト繊維の数から、アスベスト濃度が算出される。これにより、サンプリングポイント１１０ａ〜１１０ｆにおいて、建築物１０１の内部や工事区域境界でのアスベスト濃度が計測される。
【０００９】
さらに、建築物１０１の内部には、ディジタル微差圧計１１３が配置される。ディジタル微差圧計１１３により、建築物１０１内の圧力の変化量が計測され、建築物１０１の内部が負圧に保たれているかどうかが計測される。
【特許文献１】特開２００７−２１８６４１号公報
【考案の開示】
【考案が解決しようとする課題】
【００１０】
上述のように、従来では、汚染物質の除去作業中には、汚染物質が外部に拡散していないことを確認するために、建築物１０１やその周辺の各サンプリングポイント１１０ａ〜１１０ｆにおいて、エアーサンプラー１２３ａ〜１２３ｆにより空気中の浮遊物をサンプリングし、位相差顕微鏡１２５によりアスベスト繊維の数の計数を行って、アスベスト濃度の計測を行っている。ところが、このようにエアーサンプラー１２３ａ〜１２３ｆで空気中の浮遊物をサンプリングして位相差顕微鏡によりアスベスト濃度の計測する方法では、多大な経費と時間を要するという問題がある。
【００１１】
また、このようにエアーサンプラー１２３ａ〜１２３ｆで空気中の浮遊物をサンプリングして位相差顕微鏡によりアスベスト濃度の計測する方法では、例えば隔離シート１０２が破損するような突発的な事故が発生して、アスベストが飛散するような場合に、迅速に対処できないという問題がある。
【００１２】
本考案は、上述の課題を鑑み、経費や時間を削減できると共に、汚染物質の除去作業中にも継続的に汚染物質の計測を行え、突発的な事故に対処できるようにしたアスベスト濃度モニタリングシステムを提供することを目的とする。
【課題を解決するための手段】
【００１３】
上述の課題を解決するために、本考案は、建築物のアスベスト除去作業を行う際のアスベスト濃度モニタリングシステムにおいて、建築物の内部及びその周辺のサンプリングポイントに配置され、空気中の浮遊粉じんを計測する粉じん計と、粉じん計と接続され、粉じん計の計測値を継続的に保存し監視するデータロガーとを備え、データロガーにより粉じん計の計測値からアスベスト濃度を推定して、アスベスト飛散量を継続的に監視することを特徴とする。
【００１４】
好ましくは、データロガーは、粉じん計の計測値から異常を検出すると、警報を報知することを特徴とする。
【００１５】
好ましくは、粉じん計は、光散乱方式の粉じん計であることを特徴とする。
【００１６】
好ましくは、粉じん計とデータロガーとをケーブルで接続したことを特徴とする。
【００１７】
好ましくは、前記粉じん計と前記データロガーとの間のケーブルには、電流で信号を伝送することを特徴とする。
【００１８】
好ましくは、粉じん計とデータロガーとを無線で接続したことを特徴とする。
【００１９】
好ましくは、粉じん計の計測値からアスベスト濃度への推定は、決められた測定方法によるアスベスト濃度の測定と、浮遊粉じんの測定とを並行して行い、両者の測定結果を比較してアスベスト濃度と浮遊粉じん濃度との相関関係を求め、求められた相関関係により前記粉じん計の測定値からアスベスト濃度を推定することを特徴とする。
【００２０】
好ましくは、建築物内にはさらに微差圧計が配置され、微差圧計をデータロガーに接続することを特徴とする。
【考案の効果】
【００２１】
本考案によれば、建築物のアスベスト除去作業を行う際のアスベスト濃度モニタリングシステムにおいて、建築物の内部及びその周辺のサンプリングポイントに配置され、空気中の浮遊粉じんを計測する粉じん計と、粉じん計と接続され、粉じん計の計測値を継続的に保存し監視するデータロガーとを備え、データロガーにより粉じん計の計測値からアスベスト濃度を推定して、アスベスト飛散量を継続的に監視しているので、隔離シートの損傷のような事故が発生した場合に、迅速に対処できる。
【００２２】
本考案によれば、データロガーは、粉じん計の計測値から異常を検出すると、警報を報知するように構成されているので、事故の発生に際して、作業員に迅速に警告できる。
【００２３】
本考案によれば、粉じん計は、光散乱方式の粉じん計であるので、短時間で精度の高い粉じん濃度が計測できる。
【００２４】
本考案によれば、粉じん計とデータロガーとをケーブルで接続しているので、各所の粉じんの計測値を集中して管理、保存できる。
【００２５】
本考案によれば、前記粉じん計と前記データロガーとの間のケーブルには、電流で信号を伝送しているので、ケーブルの長さの影響を受けることがなくなる。
【００２６】
本考案によれば、粉じん計とデータロガーとを無線で接続しているので、各所の粉じんの計測値を集中して管理、保存できると共に、ケーブルが不要で、システムが簡単に構成でき、また、建築物の内部からケーブルを引き出す必要がないため、建築物の密閉養生を保つことができる。
【００２７】
本考案によれば、粉じん計の計測値からアスベスト濃度への推定は、決められた測定方法によるアスベスト濃度の測定と、浮遊粉じんの測定とを並行して行い、両者の測定結果を比較してアスベスト濃度と浮遊粉じん濃度との相関関係を求め、求められた相関関係により粉じん計の測定値からアスベスト濃度を推定しているので、アスベスト濃度を直接測定せずに、浮遊粉じん濃度から、アスベスト濃度を推定できる。
【００２８】
本考案によれば、建築物内にはさらに微差圧計が配置され、微差圧計をデータロガーに接続しているので、建築物内の圧力の変化から、事故の発生を検出できる。
【考案を実施するための最良の形態】
【００２９】
第１実施形態．
以下、本考案の実施の形態について図面を参照しながら説明する。図１は、本考案の第１実施形態のアスベスト濃度モニタリングシステムの構成を示すものである。
【００３０】
図１において、１はアスベスト除去作業を行う建築物である。建築物１は、アスベストが外部に飛散しないように、隔離シート２で覆われ、密閉養生される。建築物１には、建物内部を負圧を保ちながら集塵を行う負圧集じん装置３が配置される。このように、隔離シート２により密閉養生し、負圧集じん装置３により建物内部を負圧にした状態で、建築物１のアスベスト除去作業が行われる。
【００３１】
本考案の第１実施形態のアスベスト濃度モニタリングシステムは、このような建築物１のアスベストの除去作業において、隔離シート２の破損等の事故監視用に使用することができる。
【００３２】
建築物１の内部やその周辺の工事区域境界には、浮遊粉じん濃度やアスベスト濃度を計測するためのサンプリングポイント１０ａ〜１０ｆが置かれ、各サンプリングポイント１０ａ〜１０ｆにおいて、空気中の浮遊粉じん濃度が計測される。
【００３３】
すなわち、建築物１の内部のサンプリングポイント１０ａにディジタル粉じん計１１ａが配置される。また、負圧集じん装置３の排出吹出口のサンプリングポイント１０ｂにディジタル粉じん計１１ｂが配置される。また、建築物１の外部の周囲のサンプリングポイント１０ｃ〜１０ｆに、ディジタル粉じん計１１ｃ〜１１ｆがそれぞれ配置される。
【００３４】
ディジタル粉じん計１１ａ〜１１ｃとしては、光散乱方式による相対濃度計のものが用いられる。光散乱方式の粉じん計は、濾過捕集法に比べて、短時間で精度の高いデータが得られるという利点がある。ディジタル粉じん計１１ａ〜１１ｆは、質量濃度変換係数を入力することにより、質量濃度換算することができる。これらディジタル粉じん計１１ａ〜１１ｆは、ケーブル１２ａ〜１２ｆをそれぞれ介して、データロガー１５に接続されている。
【００３５】
さらに、建築物１の内部には、ディジタル微差圧計１３が配置される。ディジタル微差圧計１３により、建築物１内の圧力の変化量が計測される。ディジタル微差圧計１３は、ケーブル１４を介して、データロガー１５に接続される。
【００３６】
データロガー１５は、各種計測値を継続的に監視し、保存するものである。本考案の第１実施形態では、データロガー１５として、複数のアナログ入力と、複数のパルス入力と、複数のロジック入力とを有し、計測値をメモリカード８に保存できると共に、外部のコンピュータと接続可能なものが用いられる。また、データロガー１５は、数値演算機能、プリンタ接続機能、警報出力機能、電子メールやウェブによる情報提供機能を有している。
【００３７】
なお、本考案の第１実施形態においては、ディジタル粉じん計１１ａ〜１１ｆの出力は、電圧信号となっている。また、データロガー１５の入力は電圧信号となっている。しかしながら、電圧信号は、ケーブルの長さの影響を受けやすい。そこで、ケーブル１２ａ〜１２ｆの長さの影響を受けないように、ディジタル粉じん計１１ａ〜１１ｆの出力に対してＶ−Ｉ（電圧−電流）変換器１６ａ〜１６ｆを設け、また、データロガー１５の入力側には、電流信号を電圧信号に変換するＩ−Ｖ（電流−電圧）変換器１７を設け、ケーブル１２ａ〜１２ｆの間を電流で信号を送るようにしている。ディジタル微差圧計１３は、電流出力になっており、電流信号で、ケーブル１４に送られる。ケーブル１２ａ〜１２ｆ及びケーブル１４のデータロガー１５への装着には、絶縁カップラー１８が用いられる。
【００３８】
上述のように、データロガー１５は、これらディジタル粉じん計１１ａ〜１１ｆ及びディジタル微差圧計１３の計測値を継続的に監視し、保存している。ここで、事故が発生すると、データロガー１５により警報装置７が駆動され、警報（例えばブザー）が報知される。
【００３９】
例えば、隔離シート２が損傷するような事故が発生した場合には、アスベストと共に浮遊粉じんも増加することから、周辺に設けられたディジタル粉じん計１１ｃ〜１１ｆの粉じん濃度の計測値が所定値以上になる。また、ディジタル微差圧計１３の計測値が所定値から外れると、建築物１内の負圧が十分でなくなり、アスベストが漏れる可能性が高くなる。このような場合には、警報装置７が駆動される。これにより、作業員に事故の発生を警告し、アスベストの除去作業における事故の発生に対して、迅速に対処できる。
【００４０】
データロガー１５に保存された計測値は、データロガー１５と接続された研究所の解析装置６に送られ、解析装置６により解析される。解析装置６は、例えばパーソナルコンピュータにより実現できる。
【００４１】
なお、データロガー１５に装着されたメモリカード８に計測値を保存しておき、このメモリカード８を解析装置６に装着して、計測値を解析しても良い。
【００４２】
以上説明したように、本考案の第１実施形態のアスベスト濃度モニタリングシステムでは、建築物１の内部や工事区域境界のサンプリングポイント１０ａ〜１０ｆにおいて、ディジタル粉じん計１１ａ〜１１ｆにより浮遊粉じんを計測し、データロガー１５により、これらディジタル粉じん計１１ａ〜１１ｆの計測値を継続的に監視し、保存することで、アスベストの除去作業における事故の発生に対して、迅速に対処できるようにしている。
【００４３】
すなわち、アスベスト濃度と浮遊粉じん濃度との間には、相関があると考えられる。したがって、アスベスト濃度を直接計測しなくても、空気中の浮遊粉じん濃度を計測すれば、アスベスト濃度は推定できる。アスベスト濃度を直接計測するためには、位相差顕微鏡によるアスベスト繊維の数の計数が必要で、時間がかかり、事故の発生に迅速に対処できない。これに対して、浮遊粉じん濃度は、比較的測定が容易で、精度の高い機器が入手可能である。そこで、本考案の第１実施形態では、ディジタル粉じん計１１ａ〜１１ｆを用いて、アスベストの代わりに浮遊粉じんを測定し、このディジタル粉じん計１１ａ〜１１ｆの計測値をデータロガー１５で継続的に監視し、保存するようにしている。これにより、例えば隔離シート２が破損するような突発的な事故が発生しても、迅速に対処できる。
【００４４】
なお、アスベスト濃度と浮遊粉じん濃度との相関関係については、決められた測定方法によるアスベスト濃度の測定と、浮遊粉じんの測定とを並行して行い、両者の測定結果を比較することで、明らかにすることができる。アスベスト濃度と浮遊粉じん濃度との相関関係が明らかになれば、求められた相関関係により、前記粉じん計の測定値からアスベスト濃度を推定することが可能である。
【００４５】
第２実施形態．
図２は、本考案の第２実施形態を示すものである。前述の第１実施形態では、ディジタル粉じん計１１ａ〜１１ｆとデータロガー１５との間をケーブル１２ａ〜１２ｆでそれぞれ接続し、また、ディジタル微差圧計１３とデータロガー１５とをケーブル１４を介して接続している。
【００４６】
これに対して、この第２実施形態では、ディジタル粉じん計１１ａ〜１１ｆとデータロガー１５との間、及び、ディジタル微差圧計１３とデータロガー１５との間を、無線で接続している。このような無線接続を可能とするために、ディジタル粉じん計１１ａ〜１１ｆ及びディジタル微差圧計１３には、無線通信装置５１ａ〜５１ｆ及び無線通信装置５２が装着される。また、データロガー１５には、無線通信装置５３が接続される。無線通信装置５１ａ〜５１ｆ、５２，５３は、市販の無線LAN装置等を使用できるので、詳細な説明は省略する。
【００４７】
このように、ディジタル粉じん計１１ａ〜１１ｆとデータロガー１５との間、及び、ディジタル微差圧計１３とデータロガー１５との間を無線で接続すると、ケーブルが不要になり、システムが簡単に構成できると共に、建築物１内部からケーブルを引き出す必要がないため、建築物１の密閉養生を保つことができる。他の構成については、前述の第１実施形態と同様である。
【００４８】
本考案は、上述した実施形態に限定されるものではなく、この考案の要旨を逸脱しない範囲内で様々な変形や応用が可能である。
【００４９】
例えば、上述の例では、事故が発生した場合の警報装置として、ブザーを駆動しているが、ブザーに限定されるものではない。また、事故が発生した場合に、警告だけでなく、例えば、負圧集じん装置１０３の送風機の回転数を増加する等の対策を行うようにしても良い。
【００５０】
また、本考案によるアスベスト濃度のモニタリングと、従来から行われているフィルタで空気中の浮遊物をサンプリングして位相差顕微鏡によりアスベスト濃度の計測とを並行して行うようにしても良い。
【産業上の利用可能性】
【００５１】
本考案は、建築物・工作物等のアスベストを建築物から除去する際のみならず、焼却炉・煙突等の解体作業で生じるダイオキシン等の有害物のモニタリングシステムとして用いることができる。
【図面の簡単な説明】
【００５２】
【図１】本考案の第１実施形態のアスベスト濃度モニタリングシステムの構成を示すブロック図である。
【図２】本考案の第２実施形態のアスベスト濃度モニタリングシステムの構成を示すブロック図である。
【図３】従来のアスベスト除去現場での浮遊粉じん濃度やアスベスト濃度の計測の概要を示すブロック図である。
【符号の説明】
【００５３】
１  建築物
２  隔離シート
３  負圧集じん装置
６  解析装置
７  警報装置
８  メモリカード
１０ａ〜１０ｆ  サンプリングポイント
１１ａ〜１１ｆ  ディジタル粉じん計
１２ａ〜１２ｆ  ケーブル
１３  ディジタル微差圧計
１４  ケーブル
１５  データロガー
１６ａ〜１６ｆ  Ｖ−Ｉ変換器
１７  Ｉ−Ｖ変換器
１８  絶縁カップラー
５１ａ〜５１ｆ，５２，５３  無線通信装置
【図１】
0003143132.tif 000003
【図２】
0003143132.tif 000004
【図３】
0003143132.tif 000005